【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報から所定の結果プレイを表現する結果プレイ動画像情報を抽出するステップと、前記結果プレイ動画像情報を記憶するステップと、端末装置から端末識別子と動画像取得要求ＵＲＬアドレスあるいは動画像取得要求メールアドレスからなる情報取得要求を受信するステップと、情報取得要求を受け前記結果プレイ動画像情報を読み出し動画像送信情報を生成するステップと、前記端末識別子の端末装置へ前記動画像送信情報を送信するステップを含むことを特徴とする端末装置よりインターネット通信網を介して要約したスポーツの動画像情報の情報取得要求を受け前記端末装置へ情報取得要求に対応する要約した動画像情報を伝達する方法。
【請求項２】
端末装置よりインターネット通信網を介して、要約したスポーツの動画像情報の情報取得要求を受け、前記端末装置へ情報取得要求に対応する要約した動画像情報を伝達する方法において、端末識別子に対応してスポーツの試合識別子を予約記憶するステップと、予約記憶された前記試合識別子のスポーツの動画像情報を発生するステップと、前記スポーツの動画像情報から所定の結果プレイを表現する結果プレイ動画像情報を抽出するステップと、前記端末識別子と対応して前記結果プレイ動画像情報を記憶するステップと、端末装置から端末識別子と動画像取得要求ＵＲＬアドレスあるいは動画像取得要求メールアドレスからなる情報取得要求を受信するステップと、情報取得要求を受け前記端末識別子と対応する前記結果プレイ動画像情報を読み出し動画像送信情報を生成するステップと、前記端末識別子の端末装置へ前記動画像送信情報を送信するステップを含むことを特徴とする端末装置よりインターネット通信網を介して要約したスポーツの動画像情報の情報取得要求を受け前記端末装置へ情報取得要求に対応する要約した動画像情報を伝達する方法。
【請求項３】
端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、前記場面識別情報と対応して前記結果プレイ動画像情報を記憶するステップと、端末装置から端末識別子と動画像取得要求ＵＲＬアドレスあるいは動画像取得要求メールアドレスを含む情報取得要求を受信するステップと、場面識別情報と対応する結果プレイ動画像情報の記憶から前記情報取得要求に対応する場面識別情報の結果プレイ動画像情報を読み出し動画像送信情報を生成するステップと、前記端末識別子の端末装置へ前記動画像送信情報を送信するステップを含むことを特徴とする端末装置よりインターネット通信網を介して要約したスポーツの動画像情報の情報取得要求を受け前記端末装置へ情報取得要求に対応する要約した動画像情報を伝達する方法。
【請求項４】
端末装置よりインターネット通信網を介して、要約したスポーツの動画像情報の情報取得要求を受け、前記端末装置へ情報取得要求に対応する要約した動画像情報を伝達する方法において、端末識別子に対応してスポーツの試合識別子を予約記憶するステップと、予約記憶された前記試合識別子のスポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、前記端末識別子と前記場面識別情報に対応して前記結果プレイ動画像情報を記憶するステップと、端末装置から端末識別子と動画像取得要求ＵＲＬアドレスあるいは動画像取得要求メールアドレスを含む情報取得要求を受信するステップと、端末識別子と場面識別情報に対応する結果プレイ動画像情報の記憶から前記端末識別子に対応しかつ前記情報取得要求に対応する場面識別情報の結果プレイ動画像情報を読み出し動画像送信情報を生成するステップと、前記端末識別子の端末装置へ前記動画像送信情報を送信するステップを含むことを特徴とする端末装置よりインターネット通信網を介して要約したスポーツの動画像情報の情報取得要求を受け前記端末装置へ情報取得要求に対応する要約した動画像情報を伝達する方法。
【請求項５】
端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、場面識別情報を画像表示で分かるように文字記号画像表示変換し場面識別画像情報を出力するステップと、場面識別画像情報と結果プレイ動画像情報を組合わせ組合わせ結果プレイ動画像情報を発生するステップと、前記場面識別情報と対応して前記組合わせ結果プレイ動画像情報を記憶するステップと、端末装置から端末識別子と動画像取得要求ＵＲＬアドレスあるいは動画像取得要求メールアドレスを含む情報取得要求を受信するステップと、前記場面識別情報と対応する組合わせ結果プレイ動画像情報の記憶から情報取得要求に対応する場面識別情報の組合わせ結果プレイ動画像情報を読み出し動画像送信情報を生成するステップと、前記端末識別子の端末装置へ前記動画像送信情報を送信するステップを含むことを特徴とする端末装置よりインターネット通信網を介して要約したスポーツの動画像情報の情報取得要求を受け前記端末装置へ情報取得要求に対応する要約した動画像情報を伝達する方法。
【請求項６】
請求項１、請求項２、請求項３、請求項４、請求項５において、結果プレイ動画像情報を抽出するステップは、場面あるいは場面識別情報に対応したプレイ動作のプレイ開始タイミングでプレイ開始タイミング信号を、プレイ動作の結果が判明する結果プレイ終了タイミングで結果プレイ終了タイミング信号を発生し、スポーツの動画像情報のプレイ開始タイミング信号から結果プレイ終了タイミング信号までを場面あるいは場面識別情報に対応した結果プレイ動画像情報として抽出ことを特徴とする請求項１に記載の端末装置よりインターネット通信網を介して要約したスポーツの動画像情報の情報取得要求を受け前記端末装置へ情報取得要求に対応する要約した動画像情報を伝達する方法、および、請求項２に記載の端末装置よりインターネット通信網を介して要約したスポーツの動画像情報の情報取得要求を受け前記端末装置へ情報取得要求に対応する要約した動画像情報を伝達する方法、および、請求項３に記載の端末装置よりインターネット通信網を介して要約したスポーツの動画像情報の情報取得要求を受け前記端末装置へ情報取得要求に対応する要約した動画像情報を伝達する方法、および、請求項４に記載の端末装置よりインターネット通信網を介して要約したスポーツの動画像情報の情報取得要求を受け前記端末装置へ情報取得要求に対応する要約した動画像情報を伝達する方法、および、請求項５に記載の端末装置よりインターネット通信網を介して要約したスポーツの動画像情報の情報取得要求を受け前記端末装置へ情報取得要求に対応する要約した動画像情報を伝達する方法。
【請求項７】
請求項３、請求項４、請求項５、請求項６において、場面識別情報は、動画像情報を自動画像認識処理し発生することを特徴とする請求項３に記載の端末装置よりインターネット通信網を介して要約したスポーツの動画像情報の情報取得要求を受け前記端末装置へ情報取得要求に対応する要約した動画像情報を伝達する方法、および、請求項４に記載の端末装置よりインターネット通信網を介して要約したスポーツの動画像情報の情報取得要求を受け前記端末装置へ情報取得要求に対応する要約した動画像情報を伝達する方法、および、請求項５に記載の端末装置よりインターネット通信網を介して要約したスポーツの動画像情報の情報取得要求を受け前記端末装置へ情報取得要求に対応する要約した動画像情報を伝達する方法、および、請求項６に記載の端末装置よりインターネット通信網を介して要約したスポーツの動画像情報の情報取得要求を受け前記端末装置へ情報取得要求に対応する要約した動画像情報を伝達する方法。
【請求項８】
請求項６において、場面あるいは場面識別情報に対応したプレイ動作のプレイ開始タイミングでプレイ開始タイミング信号の発生、および、プレイ動作の結果が判明する結果プレイ終了タイミングで結果プレイ終了タイミング信号を発生は、動画像情報を自動画像認識処理し発生することを特徴とする請求項６に記載の端末装置よりインターネット通信網を介して要約したスポーツの動画像情報の情報取得要求を受け前記端末装置へ情報取得要求に対応する要約した動画像情報を伝達する方法。
【請求項９】
請求項１、請求項２、請求項３、請求項４、請求項５において、場面あるいは場面識別情報に対応した結果プレイ動画像情報の抽出は、場面あるいは場面識別情報に対応したプレイ動作の結果が判明するプレイ結果判明時点を結果プレイ終了タイミングとし、結果プレイ終了タイミングからプレイを表現するに十分な所定時間前へさかのぼった時点あるいは結果プレイ終了タイミングからさかのぼって最も近いプレイ開始時点を開始タイミングとし、開始タイミングから結果プレイ終了タイミングまでの期間のスポーツの動画像情報を結果プレイ動画像情報として抽出することを特徴とする請求項１に記載の端末装置よりインターネット通信網を介して要約したスポーツの動画像情報の情報取得要求を受け前記端末装置へ情報取得要求に対応する要約した動画像情報を伝達する方法、および、請求項２に記載の端末装置よりインターネット通信網を介して要約したスポーツの動画像情報の情報取得要求を受け前記端末装置へ情報取得要求に対応する要約した動画像情報を伝達する方法、および、請求項３に記載の端末装置よりインターネット通信網を介して要約したスポーツの動画像情報の情報取得要求を受け前記端末装置へ情報取得要求に対応する要約した動画像情報を伝達する方法、および、請求項４に記載の端末装置よりインターネット通信網を介して要約したスポーツの動画像情報の情報取得要求を受け前記端末装置へ情報取得要求に対応する要約した動画像情報を伝達する方法、および、請求項５に記載の端末装置よりインターネット通信網を介して要約したスポーツの動画像情報の情報取得要求を受け前記端末装置へ情報取得要求に対応する要約した動画像情報を伝達する方法。
【請求項１０】
請求項３、請求項４、請求項５、請求項６、請求項７、請求項８において、スポーツは野球であり、かつ、場面識別情報は、チャンス場面の有無、あるいは、結果得点の有無、あるいは、結果ヒットの有無、結果ホームランの有無、あるいは、打席の選手識別子を含むことを特徴とする請求項３に記載の端末装置よりインターネット通信網を介して要約したスポーツの動画像情報の情報取得要求を受け前記端末装置へ情報取得要求に対応する要約した動画像情報を伝達する方法、および、請求項４に記載の端末装置よりインターネット通信網を介して要約したスポーツの動画像情報の情報取得要求を受け前記端末装置へ情報取得要求に対応する要約した動画像情報を伝達する方法、および、請求項５に記載の端末装置よりインターネット通信網を介して要約したスポーツの動画像情報の情報取得要求を受け前記端末装置へ情報取得要求に対応する要約した動画像情報を伝達する方法、および、請求項６に記載の端末装置よりインターネット通信網を介して要約したスポーツの動画像情報の情報取得要求を受け前記端末装置へ情報取得要求に対応する要約した動画像情報を伝達する方法、および、請求項７に記載の端末装置よりインターネット通信網を介して要約したスポーツの動画像情報の情報取得要求を受け前記端末装置へ情報取得要求に対応する要約した動画像情報を伝達する方法、および、請求項８に記載の端末装置よりインターネット通信網を介して要約したスポーツの動画像情報の情報取得要求を受け前記端末装置へ情報取得要求に対応する要約した動画像情報を伝達する方法。
【請求項１１】
請求項３、請求項４、請求項５、請求項６、請求項７、請求項８において、スポーツはサッカーであり、かつ、場面識別情報は、チャンス場面の有無、あるいは、結果得点の有無、あるいは、結果スーパープレイの有無、あるいは、プレイする選手識別子を含むことを特徴とする請求項３に記載の端末装置よりインターネット通信網を介して要約したスポーツの動画像情報の情報取得要求を受け前記端末装置へ情報取得要求に対応する要約した動画像情報を伝達する方法、および、請求項４に記載の端末装置よりインターネット通信網を介して要約したスポーツの動画像情報の情報取得要求を受け前記端末装置へ情報取得要求に対応する要約した動画像情報を伝達する方法、および、請求項５に記載の端末装置よりインターネット通信網を介して要約したスポーツの動画像情報の情報取得要求を受け前記端末装置へ情報取得要求に対応する要約した動画像情報を伝達する方法、および、請求項６に記載の端末装置よりインターネット通信網を介して要約したスポーツの動画像情報の情報取得要求を受け前記端末装置へ情報取得要求に対応する要約した動画像情報を伝達する方法、および、請求項７に記載の端末装置よりインターネット通信網を介して要約したスポーツの動画像情報の情報取得要求を受け前記端末装置へ情報取得要求に対応する要約した動画像情報を伝達する方法、および、請求項８に記載の端末装置よりインターネット通信網を介して要約したスポーツの動画像情報の情報取得要求を受け前記端末装置へ情報取得要求に対応する要約した動画像情報を伝達する方法。
【請求項１２】
請求項３、請求項４、請求項５、請求項６、請求項７、請求項８において、スポーツは個人戦あるいはダブルスペア戦であり、かつ、場面識別情報は、結果スーパープレイの有無あるいはプレイする選手識別子を含むことを特徴とする請求項３に記載の端末装置よりインターネット通信網を介して要約したスポーツの動画像情報の情報取得要求を受け前記端末装置へ情報取得要求に対応する要約した動画像情報を伝達する方法、および、請求項４に記載の端末装置よりインターネット通信網を介して要約したスポーツの動画像情報の情報取得要求を受け前記端末装置へ情報取得要求に対応する要約した動画像情報を伝達する方法、および、請求項５に記載の端末装置よりインターネット通信網を介して要約したスポーツの動画像情報の情報取得要求を受け前記端末装置へ情報取得要求に対応する要約した動画像情報を伝達する方法、および、請求項６に記載の端末装置よりインターネット通信網を介して要約したスポーツの動画像情報の情報取得要求を受け前記端末装置へ情報取得要求に対応する要約した動画像情報を伝達する方法、および、請求項７に記載の端末装置よりインターネット通信網を介して要約したスポーツの動画像情報の情報取得要求を受け前記端末装置へ情報取得要求に対応する要約した動画像情報を伝達する方法、および、請求項８に記載の端末装置よりインターネット通信網を介して要約したスポーツの動画像情報の情報取得要求を受け前記端末装置へ情報取得要求に対応する要約した動画像情報を伝達する方法。
【請求項１３】
端末装置よりインターネット通信網を介して、要約したスポーツの動画像情報の情報取得要求を受け、前記端末装置へ情報取得要求に対応する要約した動画像情報を伝達する装置において、所定のスポーツの動画像情報を出力するスポーツ動画像発生手段と、前記スポーツの動画像情報の場面に対応し場面識別情報を発生する場面識別情報発生手段と、場面識別情報に対応したプレイ動作のプレイ開始タイミングでプレイ開始タイミング信号を、プレイ動作の結果が判明する結果プレイ終了タイミングで結果プレイ終了タイミング信号を発生する抽出タイミング信号発生手段と、スポーツの動画像情報のプレイ開始タイミング信号から結果プレイ終了タイミング信号までを場面識別情報に対応した結果プレイ動画像情報として抽出する動画像抽出手段と、場面識別情報と対応して結果プレイ動画像情報を記憶する第１の記憶手段と、端末装置から端末識別子と動画像取得要求ＵＲＬアドレスあるいは動画像取得要求メールアドレスからなる情報取得要求を受信し動画像取得要求ＵＲＬアドレスあるいは動画像取得要求メールアドレスからなる情報取得要求を含む動画像取得要求情報を出力する受信手段と、動画像取得要求情報を受け場面識別情報と対応して記憶された結果プレイ動画像情報から動画像取得要求情報に対応する場面識別情報の結果プレイ動画像情報を読み出し動画像送信情報を生成し出力する情報生成手段と、端末識別子の端末装置へ前記動画像送信情報を送信する送信手段を具備することを特徴とする端末装置よりインターネット通信網を介して、要約したスポーツの動画像情報の情報取得要求を受け前記端末装置へ情報取得要求に対応する要約した動画像情報を伝達する装置。
【請求項１４】
端末装置よりインターネット通信網を介して、要約したスポーツの動画像情報の情報取得要求を受け、前記端末装置へ情報取得要求を受けた動画像情報を伝達する情報伝達装置において、予め端末装置の端末識別子と対応して予約するスポーツの動画像情報の試合識別子を記憶する第２の記憶手段と、前記試合識別子のスポーツの動画像情報１Ａとあるいはこれに加えて動画像表示である動画像表示を出力するスポーツ動画像発生手段と、前記スポーツの動画像情報の場面に対応し場面識別情報を発生する場面識別情報発生手段と、場面識別情報に対応したプレイ動作のプレイ開始タイミングでプレイ開始タイミング信号を、プレイ動作の結果が判明する結果プレイ終了タイミングで結果プレイ終了タイミング信号を発生する抽出タイミング信号発生手段と、スポーツの動画像情報のプレイ開始タイミング信号発生から結果プレイ終了タイミング信号発生までを場面識別情報に対応した結果プレイ動画像情報として抽出する動画像抽出手段と、端末識別子と場面識別情報と対応して結果プレイ動画像情報を記憶する第１の記憶手段と、端末装置から端末識別子と動画像取得要求ＵＲＬアドレスあるいは動画像取得要求メールアドレスからなる情報取得要求を含む動画像取得要求情報を出力する受信手段と、動画像取得要求情報を受け端末識別子と場面識別情報と対応して記憶された結果プレイ動画像情報から動画像取得要求情報に対応する場面識別情報の結果プレイ動画像情報を読み出し動画像送信情報を生成し出力する情報生成手段と、端末識別子の端末装置へ前記動画像送信情報を送信する送信手段を具備することを特徴とする端末装置よりインターネット通信網を介して要約したスポーツの動画像情報の情報取得要求を受け前記端末装置へ情報取得要求を受けた動画像情報を伝達する情報伝達装置。
【請求項１５】
野球のプレイ動作の結果が判明する結果プレイ終了タイミングを画像認識する方法において、野球のプレイ動作の画像である動画像情報から打席選手の背番号や顔や姿の特徴量を計測し、前記特徴量を持つ選手のヒット等による走者としての出塁、あるいは、ホームラン等によるホームへの到達、あるいは、打席からの退場、あるいは、内野からの退場を画像認識することで、結果プレイ終了タイミングと認識することを特徴とする野球のプレイ動作の結果が判明する結果プレイ終了タイミングを画像認識する方法。
【請求項１６】
サッカープレイ動作の結果が判明する結果プレイ終了タイミングを画像認識する方法において、攻撃側選手と守備側選手をユニホームの色あるいは文字あるいは柄の特徴量で判別し、ボール画像の球体の特徴量からボールを認識しかつピッチのゴールラインとの距離を検出し、はじめに攻撃側選手の足元のボールが、ピッチ内で、守備側ゴールラインから所定量以下にあって、その後、ボールと守備側ゴールラインとのピッチ内での距離が所定量以上になったとき、あるいは、ボールと守備側ゴールラインとの距離がマイナスとなったとき結果プレイ終了タイミングと認識することを特徴とするサッカープレイ動作の結果が判明する結果プレイ終了タイミングを画像認識する方法。